(57)【特許請求の範囲】
【請求項１】
並設した複数本の野縁受けに対して交差させるように複数本の野縁を一直線状に配置し、野縁の野縁受けへの交差部位を少なくとも野縁の長手方向の両端近傍箇所に位置させ、この野縁の野縁受けへの交差部位にＵ字状の吊金具を下方から嵌め込み、この吊金具の上部に水平方向に切り込んだ切込みスリットを形成し、この切込みスリットに野縁受けの水平片を挿入することで、吊金具を介して野縁を野縁受けに吊持してなる天井下地の構造であって、一直線状に配列する一対の野縁のうちあらかじめ野縁受けに固定した一方の野縁の端部に継金具をその一端を挿し込むことで取付け、この継金具の他端に嵌合凹部を設け、この嵌合凹部を、継金具の中央で前後に面するように立設した縦壁の後面と縦壁の上下縁からそれぞれ後方に突設した上片及び下片とで側面視コ字溝状に形成すると共に、上片の突出先端に斜め上方に折り曲げた折曲部を形成することで構成し、他方の野縁の端部を嵌合凹部内に嵌め込んで一直線状に配列された各野縁の端部同士を継金具で仮接続したことを特徴とする天井下地の構造。
【請求項２】
Ｕ字状の吊金具の両側壁における内表面に係合突部を対向して設け、この係合突部と吊金具の底壁とで吊金具に吊持させた野縁を挟持したことを特徴とする請求項１記載の天井下地の構造。
【発明の詳細な説明】
【０００１】
【発明の属する技術分野】
本発明は、天井下地の構造に関し、詳しくは、野縁の野縁受けへの取付け施工性の向上を図る技術に関する発明である。
【０００２】
【従来の技術】
従来から、天井下地にあっては、天井パネル等の天井材１５を取り付けるための野縁１を天井に骨組み状に配設させて構成される。詳述すると、図１０，１１に示すように、上階の床下地材（梁８ａ）の下面には複数本の野縁受け２が並設されており、これら野縁受け２に対して略直交に交差させ且つ一直線状になるように複数本の野縁１を連続させて配置し、このとき少なくとも野縁１の長手方向の両端近傍部位を野縁受け２への交差部位とし、野縁受け２への交差部位である野縁１の長手方向の両端近傍部位にＵ字状の吊金具３を嵌め込み、この吊金具３の上部に設けた水平な切込みスリット４に野縁受け２の水平片２ａを挿入させることで、吊金具３を介して野縁受け２に野縁１が吊持されて構成されている（たとえば、特許文献１参照）。
【０００３】
そして、上記構成の天井下地における、野縁１の野縁受け２への取付施工にあっては、図１１に示すように、野縁１の長手方向の両端近傍部位が交差する各野縁受け２の下方位置に二人の施工者が立ち、この二人の施工者が野縁１の長手方向の両端部分をそれぞれ把持して天井に持ち上げ、各施工者がそれぞれ吊金具３を野縁１の長手方向の両端近傍部位に嵌め込むと共に、この吊金具３を各野縁受け２に固定させることで野縁１を野縁受け２に吊持させる、といった具合に行われていた。
【０００４】
【特許文献１】
特開２００２−１０６１０５号公報
【０００５】
【発明が解決しようとする課題】
しかしながら、野縁１の天井への取付施工作業を二人の施工者で行わねばならないということは、施工者が一人の場合には野縁１の天井への取付施工作業が行えずに施工が滞ってしまい、建物全体の施工作業に支障をきたして施工納期の遅延を招いてしまうこともあり得るものであった。
【０００６】
本発明は上記の点に鑑みてなされたものであり、一人の施工者でも野縁を野縁受けに取付けできるようにした天井下地の構造を提供することを課題とするものである。
【０００７】
【課題を解決するための手段】
上記課題を解決するために本発明に係る天井下地の構造は、並設した複数本の野縁受け２に対して交差させるように複数本の野縁１を一直線状に配置し、野縁１の野縁受け２への交差部位を少なくとも野縁１の長手方向の両端近傍箇所に位置させ、この野縁１の野縁受け２への交差部位にＵ字状の吊金具３を下方から嵌め込み、この吊金具３の上部に水平方向に切り込んだ切込みスリット４を形成し、この切込みスリット４に野縁受け２の水平片２ａを挿入することで、吊金具３を介して野縁１を野縁受け２に吊持してなる天井下地の構造であって、一直線状に配列する一対の野縁１のうちあらかじめ野縁受け２に固定した一方の野縁１の端部に継金具５をその一端を挿し込むことで取付け、この継金具５の他端に嵌合凹部６を設け、この嵌合凹部６を、継金具５の中央で前後に面するように立設した縦壁５ａの後面と縦壁５ａの上下縁からそれぞれ後方に突設した上片５ｂ及び下片５ｃとで側面視コ字溝状に形成すると共に、上片５ｂの突出先端に斜め上方に折り曲げた折曲部１４を形成することで構成し、他方の野縁１の端部を嵌合凹部６内に嵌め込んで一直線状に配列された各野縁１の端部同士を継金具５で仮接続したことを特徴とする。
【０００８】
これによると、野縁１の野縁受け２への取付施工は、あらかじめ野縁受け２に一の野縁１ａを固定させておき、この一の野縁１ａの端部に継金具５の一端を挿し込んで取付け、この一の野縁１ａに対して一直線状に連設させる二の野縁１ｂにおける一の野縁１ａと反対側の端部近傍を持って、この二の野縁１ｂにおける一の野縁１ａ側の端部を一の野縁１ａの端部に取付けた継金具５の嵌合凹部６に嵌め込んで仮支持させ、この状態で二の野縁１ｂを天井付近で水平状態にし、把持部位である二の野縁１ｂにおける一の野縁１ａと反対側の端部近傍部位に吊金具３を嵌め込み、二の野縁１ｂにおける一の野縁１ａと反対側の端部近傍で交差する野縁受け２の水平片２ａをこの吊金具３の切込みスリット４に挿入することで、二の野縁１ｂにおける一の野縁１ａと反対側の端部近傍を野縁受け２に吊持させ、しかるのちに、二の野縁１ｂにおける一の野縁１ａ側の端部近傍部位に吊金具３を嵌め込み、二の野縁１ｂにおける一の野縁１ａ側の端部近傍で交差する野縁受け２の水平片２ａをこの吊金具３の切込みスリット４に挿入し、二の野縁１ｂにおける一の野縁１ａ側の端部近傍を野縁受け２に吊持させるようにして行われるのである。
【０００９】
したがって、二の野縁１ｂを一の野縁１ａに対して一直線状に配すると共に、二の野縁１ｂの長手方向の両端近傍部位で交差する各野縁受け２に二の野縁１ｂを吊持させる施工、すなわち野縁１の野縁受け２への取付施工は、一人の施工者で行うことが可能とされている。つまり、一の野縁１ａに取付けた継金具５が二の野縁１ｂにおける一の野縁１ａ側の端部を仮支持するので、この継金具５が、従来二の野縁１ｂにおける一の野縁１ａ側の端部近傍を把持していた施工者の役割を代わりに果たしているのである。しかして、従来二人の施工者が必要とされた野縁１の野縁受け２への取付施工が、一人の施工者で行わせることが可能となり、その分施工条件が大幅に緩和されて施工性が大幅に向上し、施工者数の関係で施工作業が滞ることがなく、施工納期の遅延等を発生させないようできるのである。なお、嵌合凹部６には上片５ｂの突出先端に斜め上方に折り曲げた折曲部１４が形成されていて嵌合凹部６に野縁１の端部を嵌め込ませ易くしてある。
【００１０】
また、Ｕ字状の吊金具３の両側壁３ｂにおける内表面に係合突部７を対向して設け、この係合突部７と吊金具３の底壁３ａとで吊金具３に吊持させた野縁１を挟持したことも好ましい。
【００１１】
これによると、野縁１に吊金具３を嵌め込ませた状態では、吊金具３の係合突部７と底壁３ａとで野縁１を挟持でき、野縁１に吊金具３を強固に取付けることができる。特に、ネジやビス等の締結具を用いて、野縁１への吊金具３の強固な取付を行わせているものではないことから、野縁１を支持しない方の手のみで、吊金具３を野縁１に容易に取付けることが可能とされているのである。
【００１２】
【発明の実施の形態】
以下、本発明を添付図面に示す実施形態に基づいて説明する。本発明は、天井パネル等の天井材１５（図１０参照）を取付けるための野縁１を、天井に予め配設されている野縁受け２に取り付ける施工作業にあたり、従来二人の施工者で行われていたところを、一人の施工者で行うことを可能にする天井下地の構造である。
【００１３】
本発明の天井下地の基本的な構造は従来同様である。つまり、図１に示すように、上階の床下地材８の下部には、吊り下げ具９によって床下地材８から吊り下げ支持されたかたちで、野縁受け２が複数本並設されており、これら野縁受け２に対して略直交に交差させ且つ一直線状になるように複数本の野縁１を連続させて配置し、少なくとも野縁１の長手方向の両端近傍部位を野縁受け２への交差部位とし、この野縁受け２への交差部位である野縁１の長手方向の両端近傍部位にＵ字状の吊金具３を嵌め込み、この吊金具３の上部に設けた水平な切込みスリット４に野縁受け２の水平片２ａを挿入させることで、吊金具３を介して野縁受け２に野縁１が吊持されている。
【００１４】
そして、この基本的な構造を踏襲した上で、本発明の天井下地の構造の特徴は、図２に示すように、一直線状に連続して配置した野縁１の長手方向の端部同士を、仮支持用の継金具５を介して仮接続させた構造にある。以下、詳述する。
【００１５】
図６には野縁１を示す。この野縁１は内部が中空にされた矩形管状の桟材である。詳しくは、この野縁１は、野縁受け２に吊持させるものであるから、軽量化が図られて野縁１の外殻の肉厚が薄く形成されている。しかしながら、野縁１には天井材１５が取り付けられることから適度な剛性強度が必要となり、これがため、野縁１の外殻には内外方向への凹凸形状１０が長手方向に亘って施されている。
【００１６】
また、図７には吊金具３を示す。吊金具３は、上方及び前後方向に開口して前後方向に野縁１を嵌め込ませ得るようにされたＵ字帯状の金具である。詳しくは、この吊金具３は、水平面状の底壁３ａとこの底壁３ａの側端からそれぞれ１対の側壁３ｂを立設して形成されており、各側壁３ｂの上部部分には、前縁から後方へ水平方向に所定深さに切り込んだ切込みスリット４が形成され、この切込みスリット４の延長線上には内方に凸の係合突部７が突設され、また、側壁３ｂの後端には側壁３ｂの強度補強用の折り曲げ片１１が設けられて構成されている。ここで、側壁３ｂの前縁に開口する切込みスリット４の開口縁はスリット幅が徐々に大きくなるように形成され、切込みスリット４に挿入する野縁受け２の水平片２ａを挿入し易くするようにしている。また、係合突部７にあっては、その突出基部には側壁３ｂから徐々に突出するようなＲ形状が施されていると共に、その突出先端はなだらかな球面状に形成されている。この係合突起は、吊金具３の底壁３ａと共に吊金具３に嵌合した野縁１を挟持する機能を有するものであるが、Ｒ形状の突出基部及び球面状の突出先端によって、スムーズな吊金具３への野縁１の嵌め込みをも確保されているのである。
【００１７】
また、図８及び図９には継金具５を示す。継金具５は、前後方向に面して継金具５の中央部分に立設した縦壁５ａを有し、この縦壁５ａの上下縁からそれぞれ後方に上片５ｂ及び下片５ｃを突設し、またこの縦壁５ａの両側縁から前方に左片５ｄ及び右片５ｅを突設して形成されている。ここで、左片５ｄ及び右片５ｅは挿し込み部１２を構成しており、縦壁５ａの後面及び上下片５ｂ，５ｃは側面視コ字溝状の嵌合凹部６を構成している。つまり、継金具５は、前部（一端）に挿し込み部１２を有し、後部（他端）に嵌合凹部６を有して構成されている。なお、挿し込み部１２は野縁１の長手方向の端部に開口せる野縁１の内部中空に挿し込まれて、継金具５を野縁１に取付ける部位であり、嵌合凹部６は野縁１の長手方向の端部が嵌め込まれて、継金具５に野縁１が仮支持される部位である。また、挿し込み部１２の突出先端部は上下幅寸法が小さくなる幅狭部１３が形成され、挿し込み部１２を野縁１の内部中空に挿し込ませ易くしてあり、嵌合凹部６は上片５ｂの突出先端に斜め上方に折り曲げた折曲部１４が形成され、野縁１の端部を嵌合凹部６に嵌め込ませ易くしてある。
【００１８】
これらの部材を用いて、上述した本発明の天井下地が形成されるのであるが、その施工を以下に示す。
【００１９】
まず、あらかじめ野縁受け２に一本の野縁１を固定させておく（以下、この野縁１を一の野縁１ａと称する）。この野縁１ａの野縁受け２への固定は、上述したように、野縁１ａの野縁受け２への交差部位である野縁１ａの長手方向の両端近傍部位にそれぞれ吊金具３を嵌め込み、この各吊金具３の切込みスリット４に野縁１ａの長手方向の両端近傍で交差する各野縁受け２の水平面を挿入することで行われる。
【００２０】
次に、図３及び図４に示すように、この一の野縁１ａの長手方向の端部に継金具５の挿し込み部１２を挿し込むことで継金具５を取付ける（図中矢印Ａ）。一の野縁１ａに継金具５を取付けた状態では、継金具５の嵌合凹部６の開口が一の野縁１ａの長手方向に向けてあり、一の野縁１ａの長手方向から二の野縁１ｂの長手方向の端部を継金具５の嵌合凹部６に嵌合させ得るようにされている。なお、二の野縁１ｂとは、一の野縁１ａに対して一直線状に隣接させる野縁１である。
【００２１】
次に、図５に示すように、二の野縁１ｂにおける一の野縁１ａと反対側の端部近傍を持って、この二の野縁１ｂにおける一の野縁１ａ側の端部を一の野縁１ａの端部に取付けた継金具５の嵌合凹部６に嵌め込んで仮支持させつつ（図中矢印Ｂ）、この状態で二の野縁１ｂを天井付近で水平状態にし、把持部位である二の野縁１ｂにおける一の野縁１ａと反対側の端部近傍部位に吊金具３を嵌め込み、二の野縁１ｂにおける一の野縁１ａと反対側の端部近傍で交差する野縁受け２の水平片２ａを、この吊金具３の切込みスリット４に挿入する（図中矢印Ｃ）。この状態の二の野縁１ｂは、一の野縁１ａ側の端部では一の野縁１ａに継金具５を介して接続されて支持されており、また、一の野縁１ａと反対側の端部近傍では野縁受け２に吊持されて支持されている。つまり、この二の野縁１ｂは長手方向の２点で安定支持されている。
【００２２】
最後に、図１及び図２に示すように、二の野縁１ｂにおける一の野縁１ａ側の端部近傍部位に吊金具３を嵌め込み、二の野縁１ｂにおける一の野縁１ａ側の端部近傍で交差する野縁受け２の水平片２ａをこの吊金具３の切込みスリット４に挿入し、二の野縁１ｂにおける一の野縁１ａ側の端部近傍を野縁受け２に吊持させる（図中矢印Ｄ）。これにより、二の野縁１ｂは、一の野縁１ａに対して一直線状に天井に強固に配設されるのである。
【００２３】
上述したように本例の天井下地は、その施工作業において、一の野縁１ａに取付けた継金具５が二の野縁１ｂにおける一の野縁１ａ側の端部を仮支持するようにされているので、この継金具５が従来二の野縁１ｂにおける一の野縁１ａ側の端部近傍を把持していた施工者の役割を代わりに果たし、また、野縁１の長手方向の両端部近傍部位で行う吊金具３の野縁１及び野縁受け２への取付け作業を同時に行わなくても済むようにされていることから、従来二人の施工者が必要とされた野縁１の野縁受け２への取付施工が、一人の施工者で行わせることが可能とされているのである。
【００２４】
つまり、従来二人の施工者で行われていた野縁１の野縁受け２への取付施工を、一人の施工者で行わせることで、その分、施工条件が大幅に緩和され、施工性が大幅に向上するものであり、施工者数の関係で施工作業が滞ることをなくし、施工納期の遅延等の発生の低減化が有効に図られているのである。
【００２５】
【発明の効果】
上記のように本発明の請求項１記載の発明にあっては、叙述したように、一直線状に配列する一対の野縁のうちあらかじめ野縁受けに固定した一方の野縁の端部に継金具をその一端を挿し込むことで取付け、この継金具の他端に嵌合凹部を設け、この嵌合凹部を、継金具の中央で前後に面するように立設した縦壁の後面と縦壁の上下縁からそれぞれ後方に突設した上片及び下片とで側面視コ字溝状に形成すると共に、上片の突出先端に斜め上方に折り曲げた折曲部を形成することで構成し、他方の野縁の端部を嵌合凹部内に嵌め込んで一直線状に配列された各野縁の端部同士を継金具で仮接続したので、一の野縁に対して一直線状に二の野縁を配設するに際し、一の野縁に取付けた継金具が二の野縁における一の野縁側の端部を仮支持し、つまりこの継金具が従来二の野縁における一の野縁側の端部近傍を把持していた施工者の役割を代わりに果たすようになり、したがって、従来二人の施工者が必要とされた野縁の野縁受けへの取付施工にあっては、一人の施工者で行わせることが可能となり、その分施工条件が大幅に緩和されて施工性が大幅に向上し、施工者数の関係で施工作業が滞ることがなく、施工納期の遅延等を発生させないようできるのである。また、嵌合凹部には上片の突出先端に斜め上方に折り曲げた折曲部が形成されていて嵌合凹部に野縁の端部を嵌め込ませ易くしてある。
【００２６】
また、本発明の請求項２記載の発明にあっては、請求項１の効果に加えて、Ｕ字状の吊金具の両側壁における内表面に係合突部を対向して設け、この係合突部と吊金具の底壁とで吊金具に吊持させた野縁を挟持したので、野縁に吊金具を嵌め込ませた状態では、吊金具の係合突部と底壁とで野縁を挟持でき、野縁に吊金具を強固に取付けることができる。特に、ネジやビス等の締結具を用いて、野縁への吊金具の強固な取付けを行わせているわけではないことから、野縁を支持しない方の手のみで、吊金具を野縁に容易に取付けることが可能とされ、施工性の向上が図られているのである。
【図面の簡単な説明】
【図１】本発明の実施の形態の例における、野縁の野縁受けへの取付施工を説明する斜視図である。
【図２】図１の要部の側面図である。
【図３】同上の野縁の野縁受けへの取付施工を説明する斜視図である。
【図４】図３の要部の側面図である。
【図５】同上の野縁の野縁受けへの取付施工を説明する斜視図である。
【図６】同上の野縁を示すものであり、（ａ）は正面図であり、（ｂ）は側面図であり、（ｃ）は（ａ）のＥ部拡大図であり、（ｄ）は（ａ）のＦ部拡大図である。
【図７】同上の吊金具を示す斜視図である。
【図８】同上の継金具を示す斜視図である。
【図９】同上の継金具を示すものであり、（ａ）は上面図であり、（ｂ）は側面図である。
【図１０】従来技術の例を示す斜視図である。
【図１１】同上の野縁の野縁受けへの取付施工を説明する説明図である。
【符号の説明】
１  野縁
２  野縁受け
２ａ  水平片
３  吊金具
４  切込みスリット
５  継金具
６  嵌合凹部
７  係合突部
【図１】
0003715960.tif 000002
【図２】
0003715960.tif 000003
【図３】
0003715960.tif 000004
【図４】
0003715960.tif 000005
【図５】
0003715960.tif 000006
【図６】
0003715960.tif 000007
【図７】
0003715960.tif 000008
【図８】
0003715960.tif 000009
【図９】
0003715960.tif 000010
【図１０】
0003715960.tif 000011
【図１１】
0003715960.tif 000012